(57)【要約】【課題】記録するデータとその記録時の位置情報を表現する表示データとを一般的な再生機器で再生可能とするデータ形式で情報記録するデータ処理システムを提供する。【解決手段】受信手段１１０１でＧＰＳデータを受信し、このＧＰＳデータに基づいて、地図データ保持手段１１０２から現在位置周辺の地図データが抽出され、映像データとして位置データが作成される。データ合成手段１２０１では、入力手段１００１から入力された映像音声データと位置データとがマルチチャンネルのストリームデータとして合成され、記録媒体１２０３に記録される。【選択図】図１
2006060746.tif 000002
【特許請求の範囲】
【請求項１】
記録媒体にデータストリームを記録するデータ処理システムであって、前記データストリームは、再生されて視聴の対象となるマルチチャンネルのマルチメディアデータを含み、
前記データストリームを入力する入力手段と、
位置特定情報を示すＧＰＳデータを受信する受信手段と、
前記ＧＰＳデータから地図画像を表示するための地図データ保持手段と、
前記地図データ保持手段から前記ＧＰＳデータ周辺の地図画像および前記ＧＰＳデータのシンボルを合わせた画像のデータを作成する位置データ作成手段と、
前記入力手段から入力されたデータストリームと前記位置データ作成手段により作成されたデータとを合成したマルチメディアデータを出力するデータ合成手段と、
前記マルチメディアデータをマルチチャンネル記録する記録手段とを備えたことを特徴とするデータ処理システム。
【請求項２】
前記位置データ作成手段は、前記地図データ保持手段から前記ＧＰＳデータ周辺の地図画像および前記ＧＰＳデータのシンボルを合わせた画像のデータをデジタル放送におけるデータ放送のＢＭＬブラウザデータとして作成する請求項１に記載のデータ処理システム。
【請求項３】
映像および／または音声データを入力する第１のステップと、
ＧＰＳデータを受信する第２のステップと、
前記ＧＰＳデータに基づいて地図データを抽出し、この地図データと現在位置を示すシンボルマークを合成した位置データを作成する第３のステップと、
前記映像および／または音声データと前記位置データとを合成する第４のステップと、
を有することを特徴とするデータ処理方法。
【請求項４】
前記第３のステップで作成された位置データをＢＭＬブラウザデータに変換する第５のステップをさらに有し、
前記第４のステップは、前記映像および／または音声データと前記変換された位置データとを合成することを特徴とするデータ処理方法。
【発明の詳細な説明】
【技術分野】
【０００１】
本発明は、映像、音声等に関するマルチメディアデータにおける記録した時点の位置情報を記録、再生する技術に関する。
【背景技術】
【０００２】
従来、ＧＰＳデータを利用してマルチメディアデータを記録再生するシステムとして、ＧＰＳ受信機から得られる日時情報や緯度・経度情報を映像情報とともに記録媒体に記録する技術、ＧＰＳ受信機から得られる日時情報や緯度・経度情報を映像情報とともに放送する技術、記録されたＧＰＳ受信機から得られた情報をもとにその情報と一致する地図画像を表示する技術、記録されたＧＰＳ受信機から得られた情報をもとにその情報と一致する映像情報を検索する技術を利用したシステムが挙げられる（例えば特許文献１参照）。
【特許文献１】特開２００１−１１１９４２号公報
【発明の開示】
【発明が解決しようとする課題】
【０００３】
しかしながら、従来の技術では、記録されたデータが特殊なためそのデータが記録された記録媒体を利用する場合、利用する機器もＧＰＳ受信機から得られる情報データを特定して表示を行うという専用機能が必要である。
【０００４】
つまり前記専用機能を持たないＤＶＤプレーヤー等の一般的な再生機では互換性がなく利用できないという問題があった。
【０００５】
本発明の目的は、記録するデータとその記録時の位置情報を表現する表示データとを一般的な再生機器で再生可能とするデータ形式で情報記録するデータ処理システムを提供することである。
【課題を解決するための手段】
【０００６】
本発明のデータ処理システムは、ＧＰＳデータから地図情報を特定し、位置情報として必要な表示画像データを複数データストリーム記録できる記録媒体に１つのデータストリームとして記録することを最も主要な特徴とする。
【発明の効果】
【０００７】
本発明によれば、ユーザーが記録している映像・音声はもちろん、記録している位置情報データが１つのデータストリームとして記録でき、その記録した記録媒体を特殊な機能を持った再生機でなくとも一般的な再生機で再生でき、その一般的な再生機に備わったデータストリーム切換機能により位置情報のデータも再生することができる。それにより時間が経過してから再生してもどこで記録したデータストリームなのかが容易にわかる。ＧＰＳを利用することから乗り物にカメラを取り付けて１チャンネルは位置情報データで残りのチャンネルはいろいろなアングルの映像・音声データとすることで運行記録や万一の事故の場合の記録やフライトレコーダーにも利用できる。
【０００８】
また、位置情報データをＢＭＬブラウザデータとすることで、メインの映像とともにデータボタンで同時表示したり表示消去することが可能になるので、記録した映像・音声データに対し見たいときに見ることができるガイド的な使用を可能にする。
【発明を実施するための最良の形態】
【０００９】
以下、添付図面を参照しながら、本発明の好ましい実施形態を説明する。
【００１０】
（実施の形態１）
まず、本発明によるデータ処理システムの第１の実施形態を説明する。本実施形態によるデータ処理システムは、視聴の対象となる映像、音声等に関するデータ（マルチメディアデータ）を記録する。この記録処理の特徴の１つは、入力データストリームと、位置特定情報を示すＧＰＳデータから周辺の地図画像および前記ＧＰＳデータのシンボルを合わせた画像のデータをマルチチャンネル記録することにある。以下、本明細書では、マルチメディアデータはＭＰＥＧ２トランスポートストリーム（以下「ストリーム」）に含まれている記録データとして説明する。
【００１１】
図１は、データ処理システムの機能ブロックの構成を示す。１０は実施の形態１におけるデータ処理システムを示しており、データ処理システム１０は、入力手段１００１と、受信手段１１０１と、地図データ保持手段１１０２と、位置データ作成手段１１０３と、データ合成手段１２０１と、記録手段１２０２とを備えている。なお地図データ保持手段１１０２については、リムーバブルメディア等であってもよく、必ずしもデータ処理システム１０の必須の構成要素になるとは限らない。
【００１２】
図１には記録媒体１２０３も記載されている。記録媒体１２０３は、例えばＤＶＤ−Ｖｉｄｅｏ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ、ＣＤ−ＤＡ、ＣＤ−ＲＯＭ、ＣＤ−Ｒ、ＣＤ−ＲＷ等の光記録媒体（光ディスク）、ハードディスク等の磁気記録媒体、ＳＤカード等の半導体記録媒体等の任意の記録媒体である。記録媒体１２０３が内蔵ハードディスク等の固定メディアであればデータ処理システムの構成要素として取り扱われるが、光ディスク、外部ハードディスク等のリムーバブルメディアであれば記録媒体１２０３の構成要素として取り扱わなくてもよい。以下では記録媒体１２０３はリムーバブルメディアであるとする。
【００１３】
また、映像と音声の入力用にビデオカメラ１０００と、ＧＰＳデータを送出するＧＰＳ衛星１１００も記載されている。
【００１４】
まず、図１および図２を参照しながら説明する。ビデオカメラ１０００は、例えば車や飛行機等の乗り物に設置して風景や乗り物内の様子を撮影したり、人が持って同様に撮影したＡＶデータを入力手段１００１に入力する。ＡＶデータがアナログの場合は所望のデジタルストリームに変換し、所望のデジタルストリームの場合はそのままとし、違った形式のデジタルストリームの場合は所望のデジタルストリームに変換する。これは図２の２００１に相当する。
【００１５】
受信手段１１０１は、ＧＰＳ衛星１１００からの現在位置情報であるＧＰＳデータを受信する。これは図２の２１０１に相当する。位置データ作成手段１１０３は、受信手段１１０１で受信した現在位置情報であるＧＰＳデータを表示させるための地図データを保持している地図データ保持手段１１０２より地図画像データを読み込み、受信手段１１０１からの現在位置データと地図データ保持手段１１０２からの現在位置周辺における地図のデータを結び付けた現在位置を含む現在位置表示データを作成する。これは図２の２１０２と２１０３に相当する。
【００１６】
データ合成手段１２０１では、入力手段１００１からのＡＶデータと位置データ作成手段１１０３からの現在位置表示データとをマルチチャンネルのマルチメディアデータとして合成し１つのストリームデータを作成する。これは図２の２２０１に相当する。前記データ合成手段１２０１で作成されたストリームデータを記録手段１２０２により記録媒体１２０３に記録する。これは図２の２２０２に相当する。
【００１７】
位置データ作成手段１１０３では、受信手段１１０１によって得られた現在位置の特定周辺における地図データが地図データ保持手段１１０２からメモリー上に読み出され、あらかじめ決められたまたはユーザーにより選択された現在位置のシンボルマークが前記メモリー上に画像データとして合成される。これにより現在位置および周辺地図の画像データができる。このデータを動画ＡＶデータとして所望のデジタルストリームとしてデータ合成手段１２０１に出力する。
【００１８】
データ合成手段１２０１では入力手段１００１および位置データ作成手段１１０３より入力されるＡＶデータストリームを合成して所望のストリームのマルチチャンネルで構成されたマルチメディアデータとなる。
【００１９】
なお、データ合成手段１２０１では、入力手段１００１からの入力および位置データ作成手段１１０３からの入力を自手段内で所望のデジタルストリームに変換・合成して所望のストリームのマルチチャンネルで構成されたマルチメディアデータを作成してもよい。
【００２０】
また、入力手段１００１では１つの入力としたが、記録媒体１２０３で許される最大入力数以内の複数入力としてもよい。
【００２１】
ここでストリームの作成に関しては既知のものとして説明を省略する。
【００２２】
これにより記録された記録媒体１２０３である例えばＤＶＤやブルーレイディスク等は、通常の再生機により標準機能としてのアングル切換機能やストリーム信号切換機能を利用してビデオカメラからのＡＶ画面とその画面を記録した位置情報画面を見ることができる。記録映像と記録時の詳細なデータが同時に１つのデータとして記録されるため、別途メモする必要もなく、乗り物の運行記録や事故時の貴重な記録データとしても活用できる。
【００２３】
（実施の形態２）
次に、本発明によるデータ処理システムの第２の実施形態を説明する。本実施形態によるデータ処理システムは、視聴の対象となる映像、音声等に関するデータ（マルチメディアデータ）を記録する。この記録処理の特徴の１つは、入力データストリームと、位置特定情報を示すＧＰＳデータから周辺の地図画像および前記ＧＰＳデータのシンボルを合わせた画像のデータをデータ放送形式であるＢＭＬブラウザデータとしてマルチチャンネル記録することにある。以下、本明細書では、マルチメディアデータはＭＰＥＧ２トランスポートストリーム（以下「ストリーム」）に含まれている記録データとして説明する。
【００２４】
図３は、データ処理システムの機能ブロックの構成を示す。３０は実施の形態２におけるデータ処理システムを示しており、データ処理システム３０は、入力手段３００１と、受信手段３１０１と、地図データ保持手段３１０２と、位置データ作成手段３１０３と、ＢＭＬデータ変換手段３１０４と、データ合成手段３２０１と、記録手段３２０２とを備えている。なお地図データ保持手段３１０２については、リムーバブルメディア等であってもよく、必ずしもデータ処理システム３０の必須の構成要素になるとは限らない。
【００２５】
図３には記録媒体３２０３も記載されている。記録媒体３２０３は、例えばＢｌｕ−ｒａｙ  Ｄｉｓｃの光記録媒体（光ディスク）、ハードディスク等の磁気記録媒体、ＳＤカード等の半導体記録媒体等の任意の記録媒体である。記録媒体３２０３が内蔵ハードディスク等の固定メディアであればデータ処理システムの構成要素として取り扱われるが、光ディスク、外部ハードディスク等のリムーバブルメディアであれば記録媒体３２０３の構成要素として取り扱わなくてもよい。以下では記録媒体３２０３はリムーバブルメディアであるとする。
【００２６】
また、映像と音声の入力用にビデオカメラ３０００と、ＧＰＳデータを送出するＧＰＳ衛星３１００も記載されている。
【００２７】
まず、図３および図４を参照しながら説明する。ビデオカメラ３０００は、例えば車や飛行機等の乗り物に設置して風景や乗り物内の様子を撮影したり、人が持って同様に撮影したＡＶデータを入力手段３００１に入力する。ＡＶデータがアナログの場合は所望のデジタルストリームに変換し、所望のデジタルストリームの場合はそのままとし、違った形式のデジタルストリームの場合は所望のデジタルストリームに変換する。これは図４の４００１に相当する。受信手段３１０１は、ＧＰＳ衛星３１００からの現在位置情報であるＧＰＳデータを受信する。これは図４の４１０１に相当する。
【００２８】
位置データ作成手段３１０３は、受信手段３１０１で受信した現在位置情報であるＧＰＳデータを表示させるための地図データを保持している地図データ保持手段３１０２より地図画像データを読み込み、受信手段３１０１からの現在位置データと地図データ保持手段３１０２からの現在位置周辺における地図のデータを結び付けた現在位置を含む現在位置表示データを作成する。これは図４の４１０２と４１０３に相当する。
【００２９】
ＢＭＬデータ変換手段３１０４では、位置データ作成手段３１０３で作成された位置データをＢＭＬブラウザデータに変換する。これは図４の４１０４に相当する。データ合成手段４２０１では、入力手段３００１からのＡＶデータとＢＭＬデータ変換手段３１０４からの現在位置表示データとをマルチチャンネルのマルチメディアデータとして合成し１つのストリームデータを作成する。これは図４の４２０１に相当する。前記データ合成手段３２０１で作成されたストリームデータを記録手段３２０２により記録媒体３２０３に記録する。これは図４の４２０２に相当する。
【００３０】
位置データ作成手段３１０３では、受信手段３１０１によって得られた現在位置の特定周辺における地図データが地図データ保持手段３１０２からメモリー上に読み出され、あらかじめ決められたまたはユーザーにより選択された現在位置のシンボルマークが前記メモリー上に画像データとして合成される。これにより現在位置および周辺地図の静止画像データができる。このデータを現在位置が特定周期で変化するＪＰＥＧ等の静止画像データとしてＢＭＬデータ変換手段３１０４に出力する。
【００３１】
データ合成手段３２０１では入力手段３００１より入力されるＡＶデータストリームおよびＢＭＬデータ変換手段３１０４より入力されるＢＭＬブラウザデータストリームを合成して所望のストリームのマルチチャンネルで構成されたマルチメディアデータとなる。
【００３２】
なお、データ合成手段３２０１では、入力手段３００１からの入力を自手段内で所望のデジタルストリームに変換・合成して所望のストリームのマルチチャンネルで構成されたマルチメディアデータを作成してもよい。
【００３３】
また、入力手段３００１では１つの入力としたが、記録媒体３２０３で許される最大入力数以内の複数入力としてもよい。
【００３４】
ここでＢＭＬブラウザデータおよびストリームの作成に関しては既知のものとして説明を省略する。
【００３５】
これにより記録された記録媒体３２０３である例えばブルーレイディスクは、通常の再生機により標準機能としてのストリーム信号切換機能を利用してビデオカメラからのＡＶ画面とその画面を記録した位置情報画面を見ることができる。記録映像と記録時の詳細なデータが同時に１つのデータとして記録されるため、別途メモする必要もなく、乗り物の運行記録や事故時の貴重な記録データとしても活用できる。
【００３６】
さらに実施形態１ではアングル切換やストリーム信号切換で画面は切り換えることができるが同時表示はできない。実施形態２では位置情報画面がデータ放送形式のＢＭＬブラウザデータストリームのため、再生機の標準機能であるデータ放送表示機能を利用すれば同時表示可能である。したがって、乗り物での撮影等位置情報が刻々と変化するような記録の場合、画面上で同時に見ることができる。
【００３７】
以上、本発明による第１実施形態から第２実施形態を説明した。
【００３８】
上述の実施形態１および実施形態２は、主として各々に設けられたマイクロコンピュータ（図示せず）の制御に基づいて動作する。例えば実施形態１のマイクロコンピュータは、上述した位置データ作成手段１１０３、データ合成手段１２０１等の機能を実現することができる。マイクロコンピュータは、フローチャート等を参照して説明した処理を規定したコンピュータプログラムを実行することにより、当該処理に基づく制御を実現する。そのようなコンピュータプログラムは、フレキシブルディスク等の磁気記録媒体、フラッシュメモリ等の半導体記録媒体、および、光ディスク等の光記録媒体等の種々の記録媒体に記録可能であり、ネットワーク等の電気通信回線を介して伝送可能である。さらにそのようなコンピュータプログラムを記憶した１以上の半導体記録媒体により、個々に流通するチップセットを構成することもできる。
【産業上の利用可能性】
【００３９】
本発明にかかるデータ処理システムは、ユーザーの記録したいＡＶデータとその記録している位置を同時並行に１つのストリームとして記録することができ、またその記録媒体を既存のシステムで再生することができるので、ユーザーの利便性が向上する。自動車や航空機等の乗り物の運行記録システムや事故記録システムとしても有用である。また、現在の位置情報も既存のストリーム切替やデータ放送ＯＮ／ＯＦＦで見たいときに見ることができる。本発明は、動画データ、音声データ等を記録する場合等において有用である。
【図面の簡単な説明】
【００４０】
【図１】位置データを１つのＡＶストリームとして記録する場合の機能ブロックの構成を示す図
【図２】位置データを１つのＡＶストリームとして記録する処理の流れを示すフローチャート
【図３】位置データを１つのデータ放送ストリームとして記録する場合の機能ブロックの構成を示す図
【図４】位置データを１つのデータ放送ストリームとして記録する処理の流れを示すフローチャート
【符号の説明】
【００４１】
１０００、３０００    ビデオカメラ
１１００、３１００    ＧＰＳ衛星
１００１、３００１    入力手段
１１０１、３１０１    受信手段
１１０２、３１０２    地図データ保持手段
１１０３、３１０３    位置データ作成手段
１２０１、３２０１    データ合成手段
１２０２、３２０２    記録手段
１２０３、３２０３    記録媒体
３１０４    ＢＭＬデータ変換手段
【図１】
2006060746.tif 000003
【図２】
2006060746.tif 000004
【図３】
2006060746.tif 000005
【図４】
2006060746.tif 000006